(57)【要約】【課題】良好に現像が可能であり、長時間絶縁性を維持でき、かつ、機械強度に優れた硬化皮膜を形成できる感光性組成物、及びその硬化層を有する長期信頼性の高いプリント配線板を提供する。【解決手段】（Ａ）カルボキシル基含有化合物、（Ｂ）光重合開始剤、及び（Ｃ）エポキシ化合物を含有する感光性組成物であって、前記（Ｃ）エポキシ化合物のエポキシ基が、前記（Ａ）カルボキシル基含有化合物のカルボキシル基１当量に対して１．５当量以上４当量以下であり、該感光性組成物に含まれる液状成分の含有率が、有機溶剤及びフィラーを除く全成分に対して、５質量％以上３０質量％以下である。好適には、前記（Ｃ）エポキシ化合物のエポキシ基の数が２である。【選択図】なし【特許請求の範囲】
【請求項１】
（Ａ）カルボキシル基含有化合物、
（Ｂ）光重合開始剤、及び
（Ｃ）エポキシ化合物を含有する感光性組成物であって、
前記（Ｃ）エポキシ化合物のエポキシ基が、前記（Ａ）カルボキシル基含有化合物のカルボキシル基１当量に対して１．５当量以上４当量以下であり、該感光性組成物に含まれる液状成分の含有率が、有機溶剤及びフィラーを除く全成分に対して、５質量％以上３０質量％以下である
ことを特徴とする感光性組成物。
【請求項２】
前記（Ｃ）エポキシ化合物のエポキシ基の数が、２であることを特徴とする感光性組成物。
【請求項３】
請求項１又は２に記載の感光性組成物を用いて形成される硬化層を有することを特徴とするプリント配線板。
【発明の詳細な説明】
【技術分野】
【０００１】
本発明は、感光性組成物及びその硬化層を有するプリント配線板に関する。
【背景技術】
【０００２】
プリント配線板には、回路パターンの導体層を有する基材上にソルダーレジストが形成されている。このようなソルダーレジストの材料としては、従来、種々の感光性組成物が提案されている。例えば、特許文献１には、カルボキシル基を有するポリマーと、エチレン性不飽和結合を有する光重合性化合物と、光重合開始剤とを含む永久レジスト用感光性樹脂組成物が開示されている。
【０００３】
ところで、近年、特にソルダーレジストなどの感光性組成物が車載用のプリント配線板に使用される場合、高温高湿度環境下において、長時間絶縁性を維持することや、クラックが発生しないといった機械強度が要求されている。
【先行技術文献】
【特許文献】
【０００４】
【特許文献１】特開２００５−９９６４７号公報（特許請求の範囲）
【発明の概要】
【発明が解決しようとする課題】
【０００５】
しかしながら、従来の感光性組成物では、感光性モノマーの含有量が多い場合、高温高湿度下において、絶縁性を長時間維持できなかったり、クラックが多く発生するという問題が生じた。
一方、光重合性モノマーの含有量を減らした場合、軟化点が上がるため、溶解性が低下し、パターンの形成が困難になるという問題も生じた。
【０００６】
本発明は、前記したような従来技術の問題点に鑑みてなされたものであり、その基本的な目的は、良好にパターン形成が可能であり、長時間絶縁性を維持でき、かつ、機械強度に優れた硬化皮膜を形成できる感光性組成物を提供することにある。
さらに本発明の目的は、このような優れた特性を有する感光性組成物の硬化層を有する長期信頼性の高いプリント配線板を提供することにある。
【課題を解決するための手段】
【０００７】
前記目的を達成するために、本発明によれば、
（Ａ）カルボキシル基含有化合物、
（Ｂ）光重合開始剤、及び
（Ｃ）エポキシ化合物を含有する感光性組成物であって、
前記（Ｃ）エポキシ化合物のエポキシ基が、前記（Ａ）カルボキシル基含有化合物のカルボキシル基１当量に対して１．５当量以上４当量以下であり、該感光性組成物に含まれる液状成分の含有率が、有機溶剤及びフィラーを除く全成分に対して、５質量％以上３０質量％以下である
ことを特徴とする感光性組成物が提供される。
【０００８】
好適な態様によれば、前記（Ｃ）エポキシ化合物のエポキシ基の数が、２である。
さらに本発明によれば、前記感光性組成物を用いて形成してなる硬化層を有することを特徴とするプリント配線板も提供される。
【発明の効果】
【０００９】
本発明の感光性組成物は、前記したように、（Ａ）カルボキシル基含有化合物、（Ｂ）光重合開始剤、及び（Ｃ）エポキシ化合物を含有する感光性組成物であって、前記（Ｃ）エポキシ化合物のエポキシ基が、前記（Ａ）カルボキシル基含有化合物のカルボキシル基１当量に対して１．５当量以上４当量以下であり、該感光性組成物に含まれる液状成分の含有率が、有機溶剤及びフィラーを除く全成分に対して、５質量％以上３０質量％以下であるようにしたことにより、良好にパターンを形成でき、高温高湿度下においても長時間絶縁性を維持でき、かつ、クラックの発生を抑制できる。従って、このような優れた特性を有する感光性組成物を用いてソルダーレジストや層間絶縁層等の硬化層を形成することにより、長期信頼性の高いプリント配線板を提供することができる。
【図面の簡単な説明】
【００１０】
【図１】実施例及び比較例における液状判定に用いた２本の試験管を示す概略側面図である。
【発明を実施するための形態】
【００１１】
本発明者らの研究によると、（Ａ）カルボキシル基含有化合物、（Ｂ）光重合開始剤、及び（Ｃ）エポキシ化合物を含有する感光性組成物であって、前記（Ｃ）エポキシ化合物のエポキシ基が、前記（Ａ）カルボキシル基含有化合物のカルボキシル基１当量に対して１．５当量以上４当量以下であり、該感光性組成物に含まれる液状成分の含有率が、有機溶剤及びフィラーを除く全成分に対して、５質量％以上３０質量％以下である場合、本発明の課題を解決できることを見出した。ここで、「液状」であるかどうかの判定は、２０℃において行われる。
【００１２】
前記したように、カルボキシル基を有しない感光性化合物、即ち感光性モノマー（光重合性モノマー）の含有量が多い場合、高温高湿度下において絶縁性を長時間維持できないという問題が起き易いが、本発明の感光性組成物では感光性モノマーを含有しないか、含有する場合でも少量のため、このような問題を発生する恐れは少ない。一方、感光性モノマーの含有量を減らした場合、一般に軟化点が上がるため、溶解性が低下し、パターン形成が困難になるという問題は、前記（Ｃ）エポキシ化合物のエポキシ基が、前記（Ａ）カルボキシル基含有化合物のカルボキシル基１当量に対して１．５当量以上４当量以下であり、該感光性組成物に含まれる液状成分の含有率が、有機溶剤及びフィラーを除く全成分に対して、５質量％以上３０質量％以下である場合に解決できることを見出し、本発明を完成するに至ったものである。
【００１３】
より好適な態様においては、（Ａ）カルボキシル基含有化合物、（Ｂ）光重合開始剤、及び（Ｃ）エポキシ化合物を含有する感光性組成物、あるいはさらに（Ｄ）カルボキシル基を有しない感光性化合物を含有する感光性組成物であって、該感光性組成物の二重結合当量が、有機溶剤及びフィラーを含有しない状態で、４００以上である。前記した高温高湿度下において絶縁性を長時間維持できないという問題や、感光性モノマーの含有量を減らした場合、感度が下がるため、パターン形成が困難になるという問題は、感光性組成物における有機成分の総量の二重結合当量を特定の範囲とする、即ち前記感光性組成物の二重結合当量が、有機溶剤及びフィラーを含有しない状態で、４００以上である場合に、より効果的に解決できる。なお、該感光性組成物の二重結合当量は、４００以上６８０以下が好ましく、より好ましくは、４５０以上６５０以下であり、さらに好ましくは５００以上６５０以下である。
以下、本発明の感光性組成物の各構成成分について説明する。
【００１４】
前記カルボキシル基含有化合物（Ａ）としては、分子中にカルボキシル基を有する公知慣用の樹脂化合物が使用できる。カルボキシル基含有樹脂としては、それ自体がエチレン性不飽和二重結合を有さないカルボキシル基含有樹脂や、エチレン性不飽和二重結合を有するカルボキシル基含有感光性樹脂のいずれも使用でき、特定のものに限定されないが、カルボキシル基含有感光性樹脂が、光硬化性や耐現像性の面からより好ましい。
前記カルボキシル基含有感光性化合物（Ａ）におけるエチレン性不飽和二重結合は、アクリル酸もしくはメタアクリル酸又はそれらの誘導体由来のものが好ましい。このようなカルボキシル基含有化合物の具体例としては、以下に列挙するような化合物（オリゴマー及びポリマーのいずれでもよい）が挙げられる。
【００１５】
（１）（メタ）アクリル酸等の不飽和カルボン酸と、スチレン、α−メチルスチレン等の不飽和二重結合とベンゼン環を有する化合物との共重合により得られるカルボキシル基含有樹脂。
【００１６】
（２）芳香族ジイソシアネートと、ジメチロールプロピオン酸、ジメチロールブタン酸等のカルボキシル基含有ジアルコール化合物及びポリカーボネート系ポリオール、ポリエーテル系ポリオール、ポリエステル系ポリオール、ポリオレフィン系ポリオール、アクリル系ポリオール、ビスフェノールＡ系アルキレンオキシド付加体ジオール、フェノール性ヒドロキシル基及びアルコール性ヒドロキシル基を有する化合物等のジオール化合物の重付加反応によるカルボキシル基含有ウレタン樹脂の合成中に、ヒドロキシアルキル（メタ）アクリレート等の分子内に１つの水酸基と１つ以上の（メタ）アクリル基を有する化合物を加え、末端（メタ）アクリル化したカルボキシル基含有感光性ウレタン樹脂。
【００１７】
（３）脂肪族ジイソシアネート、分岐脂肪族ジイソシアネート、脂環式ジイソシアネート、芳香族ジイソシアネート等のジイソシアネートと、ビスフェノールＡ型エポキシ樹脂、ビスフェノールＦ型エポキシ樹脂、ビスフェノールＳ型エポキシ樹脂、ビキシレノール型エポキシ樹脂、ビフェノール型エポキシ樹脂等のベンゼン環を有する２官能エポキシ樹脂の（メタ）アクリレートもしくはその部分酸無水物変性物、カルボキシル基含有ジアルコール化合物及びジオール化合物の重付加反応によるカルボキシル基含有感光性ウレタン樹脂。
【００１８】
（４）前記（３）の樹脂の合成中に、ヒドロキシアルキル（メタ）アクリレート等の分子内に１つの水酸基と１つ以上の（メタ）アクリル基を有する化合物や、イソホロンジイソシアネートとペンタエリスリトールトリアクリレートの等モル反応物など、分子内に１つのイソシアネート基と１つ以上の（メタ）アクリル基を有する化合物を加え、末端（メタ）アクリル化したカルボキシル基含有感光性ウレタン樹脂。
【００１９】
（５）後述するようなベンゼン環を有する２官能又はそれ以上の多官能エポキシ樹脂に（メタ）アクリル酸を反応させ、側鎖に存在する水酸基に無水フタル酸、テトラヒドロ無水フタル酸、ヘキサヒドロ無水フタル酸等の２塩基酸無水物を付加させたカルボキシル基含有感光性樹脂。
【００２０】
（６）後述するようなベンゼン環を有する２官能エポキシ樹脂の水酸基をさらにエピクロロヒドリンでエポキシ化した多官能エポキシ樹脂に（メタ）アクリル酸を反応させ、生じた水酸基に２塩基酸無水物を付加させたカルボキシル基含有感光性樹脂。
【００２１】
（７）ノボラックのごとき多官能フェノール化合物に、エチレンオキサイド等の環状エーテル及び／又はプロピレンカーボネート等の環状カーボネートを付加させ、得られた水酸基を（メタ）アクリル酸で部分エステル化し、残りの水酸基に無水マレイン酸、テトラヒドロ無水フタル酸、無水トリメリット酸、無水ピロメリット酸等の多塩基酸無水物を反応させたカルボキシル基含有感光性樹脂。
【００２２】
（８）上記（１）〜（７）の樹脂にさらにグリシジル（メタ）アクリレート、α−メチルグリシジル（メタ）アクリレート等の分子中に１つのエポキシ基と１つ以上の（メタ）アクリロイル基を有する化合物を付加してなるカルボキシル基含有感光性樹脂。
なお、本明細書において、（メタ）アクリレートとは、アクリレート、メタクリレート及びそれらの混合物を総称する用語であり、他の類似の表現についても同様である。
【００２３】
前記のようなカルボキシル基含有化合物は、バックボーン・ポリマーの側鎖に多数のカルボキシル基を有するため、希アルカリ水溶液による現像が可能になる。
【００２４】
また、前記カルボキシル基含有化合物の酸価は、３０〜２００ｍｇＫＯＨ／ｇの範囲が適当であり、より好ましくは３０〜１５０ｍｇＫＯＨ／ｇ、特に好ましくは４５〜１２０ｍｇＫＯＨ／ｇの範囲である。カルボキシル基含有化合物の酸価が３０ｍｇＫＯＨ／ｇ未満であるとアルカリ現像が困難となり、一方、２００ｍｇＫＯＨ／ｇを超えると現像液による露光部の溶解が進むために、必要以上にラインが痩せたり、場合によっては、露光部と未露光部の区別なく現像液で溶解剥離してしまい、正常なレジストパターンの描画が困難となるので好ましくない。
【００２５】
また、前記カルボキシル基含有化合物の、例えば、ゲル・パーミエーション・クロマトグラフィー（ＧＰＣ）で測定した場合の重量平均分子量Ｍｗ（ポリスチレン換算の重量平均分子量）は、樹脂骨格により異なるが、４，０００よりも大きく１５０，０００以下、さらには５，０００以上１００，０００以下の範囲にあるものが好ましい。重量平均分子量が４，０００以下であると、タックフリー性能が劣ることがあり、露光後の塗膜の耐湿性が悪く、現像時に膜減りが生じ、解像度が大きく劣ることがある。一方、重量平均分子量が１５０，０００を超えると、現像性が著しく悪くなることがある為、好ましくない。
【００２６】
カルボキシル基含有化合物は、分子中にエチレン性不飽和二重結合を有する感光性であることが好ましく、１種類でも２種以上を混合しても使用することができる。
【００２７】
本発明で用いる光重合開始剤（Ｂ）としては、オキシムエステル基を有するオキシムエステル系光重合開始剤、α−アミノアセトフェノン系光重合開始剤、アシルホスフィンオキサイド系光重合開始剤からなる群から選択される少なくとも１種の光重合開始剤を好適に使用することができる。
【００２８】
前記オキシムエステル系光重合開始剤としては、分子内に２つのオキシムエステル基を有する光重合開始剤を好適に用いることができる。
【００２９】
このようなオキシムエステル系光重合開始剤の配合量は、組成物全体量の０．０２〜１０質量％とすることが好ましい。０．０２質量％未満であると、銅上での光硬化性が不足し、塗膜が剥離するとともに、耐薬品性などの塗膜特性が低下する。一方、１０質量％を超えると、乾燥塗膜表面での光吸収が激しくなり、深部硬化性が低下する傾向がある。
【００３０】
前記α−アミノアセトフェノン系光重合開始剤としては、具体的には２−メチル−１−［４−（メチルチオ）フェニル］−２−モルホリノプロパノン−１、２−ベンジル−２−ジメチルアミノ−１−（４−モルホリノフェニル）−ブタン−１−オン、２−（ジメチルアミノ）−２−［（４−メチルフェニル）メチル］−１−［４−（４−モルホリニル）フェニル］−１−ブタノン、Ｎ，Ｎ−ジメチルアミノアセトフェノンなどが挙げられる。
【００３１】
前記アシルホスフィンオキサイド系光重合開始剤としては、具体的には２，４，６−トリメチルベンゾイルジフェニルホスフィンオキサイド、ビス（２，４，６−トリメチルベンゾイル）−フェニルホスフィンオキサイド、ビス（２，６−ジメトキシベンゾイル）−２，４，４−トリメチル−ペンチルホスフィンオキサイドなどが挙げられる。
【００３２】
これらα−アミノアセトフェノン系光重合開始剤、アシルホスフィンオキサイド系光重合開始剤の配合量は、組成物全体量の０．５〜１５質量％とすることが好ましい。０．５質量％未満であると、同様に銅上での光硬化性が不足し、塗膜が剥離するとともに、耐薬品性などの塗膜特性が低下する。一方、１５質量％を超えると、アウトガスの低減効果が得られず、さらに乾燥塗膜表面での光吸収が激しくなり、深部硬化性が低下する傾向がある。
【００３３】
その他、本発明の感光性組成物に好適に用いることができる光重合開始剤、光開始助剤及び増感剤としては、ベンゾイン化合物、アセトフェノン化合物、アントラキノン化合物、チオキサントン化合物、ケタール化合物、ベンゾフェノン化合物、３級アミン化合物、及びキサントン化合物などを挙げることができる。
【００３４】
前記ベンゾイン化合物としては、具体的には、例えばベンゾイン、ベンゾインメチルエーテル、ベンゾインエチルエーテル、ベンゾインイソプロピルエーテルなどが挙げられる。
【００３５】
前記アセトフェノン化合物としては、具体的には、例えばアセトフェノン、２，２−ジメトキシ−２−フェニルアセトフェノン、２，２−ジエトキシ−２−フェニルアセトフェノン、１，１−ジクロロアセトフェノンなどが挙げられる。
【００３６】
前記アントラキノン化合物としては、具体的には、例えば２−メチルアントラキノン、２−エチルアントラキノン、２−ｔ−ブチルアントラキノン、１−クロロアントラキノンなどが挙げられる。
【００３７】
前記チオキサントン化合物としては、具体的には、例えば２，４−ジメチルチオキサントン、２，４−ジエチルチオキサントン、２−クロロチオキサントン、２，４−ジイソプロピルチオキサントンなどが挙げられる。
【００３８】
前記ケタール化合物としては、具体的には、例えばアセトフェノンジメチルケタール、ベンジルジメチルケタールなどが挙げられる。
【００３９】
前記ベンゾフェノン化合物としては、具体的には、例えばベンゾフェノン、４−ベンゾイルジフェニルスルフィド、４−ベンゾイル−４’−メチルジフェニルスルフィド、４−ベンゾイル−４’−エチルジフェニルスルフィド、４−ベンゾイル−４’−プロピルジフェニルスルフィドなどが挙げられる。
【００４０】
前記３級アミン化合物としては、具体的には、例えばエタノールアミン化合物、ジアルキルアミノベンゼン構造を有する化合物などが挙げられる。
【００４１】
これらの光重合開始剤、光開始助剤及び増感剤は、単独で又は２種類以上の混合物として使用することができる。
このような光重合開始剤、光開始助剤、及び増感剤の総量は、前記カルボキシル基含有化合物１００質量部に対して３５質量部以下であることが好ましい。３５質量部を超えると、これらの光吸収により深部硬化性が低下する傾向にある。
【００４２】
前記エポキシ化合物（Ｃ）としては、分子中に複数、好ましくは２つのエポキシ基を有する多官能エポキシ樹脂、特にベンゼン環を有する多官能エポキシ樹脂が好ましい。エポキシ樹脂の具体例としては、ビスフェノールＡ型エポキシ樹脂、ブロム化エポキシ樹脂、ノボラック型エポキシ樹脂、ビスフェノールＦ型エポキシ樹脂、水添ビスフェノールＡ型エポキシ樹脂、グリシジルアミン型エポキシ樹脂、ヒダントイン型エポキシ樹脂、トリヒドロキシフェニルメタン型エポキシ樹脂、ビキシレノール型もしくはビフェノール型エポキシ樹脂又はそれらの混合物、ビスフェノールＳ型エポキシ樹脂、ビスフェノールＡノボラック型エポキシ樹脂、テトラフェニロールエタン型エポキシ樹脂、複素環式エポキシ樹脂、ジグリシジルフタレート樹脂、テトラグリシジルキシレノイルエタン樹脂、ナフタレン基含有エポキシ樹脂、ジシクロペンタジエン骨格を有するエポキシ樹脂、グリシジルメタアクリレート共重合系エポキシ樹脂、さらにシクロヘキシルマレイミドとグリシジルメタアクリレートの共重合エポキシ樹脂、エポキシ変性のポリブタジエンゴム誘導体、ＣＴＢＮ変性エポキシ樹脂等が挙げられるが、これらに限られるものではない。これらのエポキシ樹脂は、単独で又は２種以上を組み合わせて用いることができる。
【００４３】
前記エポキシ化合物（Ｃ）の配合量は、前記カルボキシル基含有化合物（Ａ）のカルボキシル基１当量に対して、１．５当量以上４当量以下である。エポキシ化合物の配合量が１．５当量未満の場合、硬化層の絶縁性とクラック耐性が低下する。一方、エポキシ化合物の配合量が４当量を超える場合、現像性が低下する。
【００４４】
本発明の感光性組成物は、さらに硬化触媒として、例えば、イミダゾール、２−メチルイミダゾール、２−エチルイミダゾール、２−エチル−４−メチルイミダゾール、２−フェニルイミダゾール、４−フェニルイミダゾール、１−シアノエチル−２−フェニルイミダゾール、１−（２−シアノエチル）−２−エチル−４−メチルイミダゾール等のイミダゾール誘導体：ジシアンジアミド、ベンジルジメチルアミン、４−（ジメチルアミノ）−Ｎ，Ｎ−ジメチルベンジルアミン、４−メトキシ−Ｎ，Ｎ−ジメチルベンジルアミン、４−メチル−Ｎ，Ｎ−ジメチルベンジルアミン等のアミン化合物：アジピン酸ヒドラジド、セバシン酸ヒドラジド等のヒドラジン化合物：トリフェニルホスフィン等のリン化合物などを添加することができる。特に、環状エーテル基を有する化合物とカルボキシル基との反応を促進するものであれば、これらに限られるものではない。これら触媒は、単独で又は２種以上を混合して使用してもかまわない。また、密着性付与剤としても機能するグアナミン、アセトグアナミン、ベンゾグアナミン、メラミン、２，４−ジアミノ−６−メタクリロイルオキシエチル−Ｓ−トリアジン、２−ビニル−２，４−ジアミノ−Ｓ−トリアジン、２−ビニル−４，６−ジアミノ−Ｓ−トリアジン・イソシアヌル酸付加物、２，４−ジアミノ−６−メタクリロイルオキシエチル−Ｓ−トリアジン・イソシアヌル酸付加物等のＳ−トリアジン誘導体を用いることもでき、好ましくはこれらの化合物を前記硬化触媒と併用する。上記硬化触媒の配合量は通常の量的割合で充分であり、例えば、前記カルボキシル基含有化合物１００質量部に対して、０．１〜２０質量部、好ましくは０．５〜１５．０質量部の割合である。
【００４５】
本発明の感光性組成物は、前記エチレン性不飽和二重結合を有し、カルボキシル基を有しない感光性化合物（Ｄ）、即ち感光性モノマーを含有しないことが好ましいが、必要に応じて少量含有することもできる。感光性モノマーとしては、分子中に１つ以上、好ましくは２つ以上のエチレン性不飽和二重結合を有する化合物を用いることができる。感光性モノマーは、活性エネルギー線照射により、光硬化して、前記カルボキシル基含有化合物をアルカリ水溶液に不溶化し、又は不溶化を助けるものである。このような化合物としては、慣用公知のポリエステル（メタ）アクリレート、ポリエーテル（メタ）アクリレート、ウレタン（メタ）アクリレート、カーボネート（メタ）アクリレート、エポキシ（メタ）アクリレートが使用でき、具体的には、２−ヒドロキシエチルアクリレート、２−ヒドロキシプロピルアクリレートなどのヒドロキシアルキルアクリレート類；エチレングリコール、メトキシテトラエチレングリコール、ポリエチレングリコール、プロピレングリコールなどのグリコールのジアクリレート類；Ｎ，Ｎ−ジメチルアクリルアミド、Ｎ−メチロールアクリルアミド、Ｎ，Ｎ−ジメチルアミノプロピルアクリルアミドなどのアクリルアミド類；Ｎ，Ｎ−ジメチルアミノエチルアクリレート、Ｎ，Ｎ−ジメチルアミノプロピルアクリレートなどのアミノアルキルアクリレート類；ヘキサンジオール、トリメチロールプロパン、ペンタエリスリトール、ジペンタエリスリトール、トリス−ヒドロキシエチルイソシアヌレートなどの多価アルコール又はこれらのエチレオキサイド付加物、プロピレンオキサイド付加物、もしくはε−カプロラクトン付加物などの多価アクリレート類；フェノキシアクリレート、ビスフェノールＡジアクリレート、及びこれらのフェノール類のエチレンオキサイド付加物もしくはプロピレンオキサイド付加物などの多価アクリレート類；グリセリンジグリシジルエーテル、グリセリントリグリシジルエーテル、トリメチロールプロパントリグリシジルエーテル、トリグリシジルイソシアヌレートなどのグリシジルエーテルの多価アクリレート類；上記に限らず、ポリエーテルポリオール、ポリカーボネートジオール、水酸基末端ポリブタジエン、ポリエステルポリオールなどのポリオールを直接アクリレート化、もしくは、ジイソシアネートを介してウレタンアクリレート化したアクリレート類及びメラミンアクリレート、及び／又は上記アクリレートに対応する各メタクリレート類などが挙げられる。
【００４６】
さらに、クレゾールノボラック型エポキシ樹脂などの多官能エポキシ樹脂に、アクリル酸を反応させたエポキシアクリレート樹脂や、さらにそのエポキシアクリレート樹脂の水酸基に、ペンタエリスリトールトリアクリレートなどのヒドロキシアクリレートとイソホロンジイソシアネートなどのジイソシアネートのハーフウレタン化合物を反応させたエポキシウレタンアクリレート化合物などが、挙げられる。このようなエポキシアクリレート系樹脂は、指触乾燥性を低下させることなく、光硬化性を向上させることができる。
【００４７】
前記のようなカルボキシル基を有しない感光性化合物は、例えば、ＧＰＣ測定による重量平均分子量Ｍｗが４０００以下の化合物である。
また、カルボキシル基を有しない感光性化合物の配合量は、全感光性成分（カルボキシル基含有感光性化合物＋カルボキシル基を有しない感光性化合物）の３０質量％以下であることが好ましく、より好ましくは１０質量％以下、さらにより好ましくは５質量％以下が適当である。
【００４８】
本発明の感光性組成物は、必要に応じて、ポリイミド等の基材との密着性を向上させるために、公知慣用のメルカプト化合物や密着促進剤を含有することができる。メルカプト化合物としては、２−メルカプトプロピオン酸、トリメチロールプロパントリス（２−チオプロピオネート）、２−メルカプトエタノール、２−アミノチオフェノール、３−メルカプト−１，２，４−トリアゾール、３−メルカプト−プロピルトリメトキシシランなどのメルカプト基含有シランカップリング剤などが挙げられる。密着促進剤としては、例えば、ベンズイミダゾール、ベンズオキサゾール、ベンズチアゾール、２−メルカプトベンズイミダゾール、２−メルカプトベンズオキサゾール、２−メルカプトベンズチアゾール、３−モルホリノメチル−１−フェニル−トリアゾール−２−チオン、５−アミノ−３−モルホリノメチル−チアゾール−２−チオン、２−メルカプト−５−メチルチオ−チアジアゾール、トリアゾール、テトラゾール、ベンゾトリアゾール、カルボキシベンゾトリアゾール、アミノ基含有ベンゾトリアゾール、ビニルトリアジンなどがある。これらは、それぞれ単独で用いてもよいし、２種以上組み合わせて用いてもよい。その配合量は、前記カルボキシル基含有化合物１００質量部当たり、１０質量部以下の範囲が適当である。これらの化合物の配合量が上記範囲を越えた場合、架橋反応に必要な前記エポキシ化合物のエポキシ基を消費し（エポキシ基と反応し）、架橋密度が下がるため好ましくない。
【００４９】
高分子材料の多くは、一度酸化が始まると、次々と連鎖的に酸化劣化が起き、高分子素材の機能低下をもたらすことから、本発明の感光性組成物には酸化を防ぐために、（１）発生したラジカルを無効化するようなラジカル補足剤又は／及び（２）発生した過酸化物を無害な物質に分解し、新たなラジカルが発生しないようにする過酸化物分解剤などの酸化防止剤を添加することができる。
【００５０】
ラジカル補足剤として働く酸化防止剤としては、例えば、ヒドロキノン、４−ｔ−ブチルカテコール、２−ｔ−ブチルヒドロキノン、ヒドロキノンモノメチルエーテル、２，６−ジ−ｔ−ブチル−ｐ−クレゾール、２，２−メチレン−ビス（４−メチル−６−ｔ−ブチルフェノール）、１，１，３−トリス（２−メチル−４−ヒドロキシ−５−ｔ−ブチルフェニル）ブタン、１，３，５−トリメチル−２，４，６−トリス（３，５−ジ−ｔ−ブチル−４−ヒドロキシベンジル）ベンゼン、１，３，５−トリス（３’，５’−ジ−ｔ−ブチル−４−ヒドロキシベンジル）−Ｓ−トリアジン−２，４，６−（１Ｈ，３Ｈ，５Ｈ）トリオン等のフェノール系、メタキノン、ベンゾキノン等のキノン系化合物、ビス（２，２，６，６−テトラメチル−４−ピペリジル）−セバケート、フェノチアジン等のアミン系化合物等が挙げられる。
【００５１】
過酸化物分解剤として働く酸化防止剤としては、例えば、トリフェニルフォスファイト等のリン系化合物、ペンタエリスリトールテトララウリルチオプロピオネート、ジラウリルチオジプロピオネート、ジステアリル３，３’−チオジプロピオネート等の硫黄系化合物等が挙げられる。
上記のような酸化防止剤は、１種を単独で又は２種以上を組み合わせて用いることができる。
【００５２】
本発明の感光性組成物は、上記酸化防止剤の他に、紫外線吸収剤を使用することができる。
紫外線吸収剤は、１種を単独で又は２種以上を組み合わせて用いることができ、酸化防止剤と併用することで、本発明の感光性組成物より得られる成形物の安定化を図ることができる。
【００５３】
さらに本発明の感光性組成物中には、本発明の効果を損なわない限り、前記成分以外の他の添加剤を添加してもよい。添加剤としては、公知慣用の増粘剤、シリコーン系、フッ素系、高分子系等の消泡剤及び／又はレベリング剤、フタロシアニン・ブルー、フタロシアニン・グリーン、ジスアゾイエロー、酸化チタン、カーボンブラック、ナフタレンブラックなどの公知の着色剤などが挙げられる。さらに、必要に応じて、公知慣用の熱重合禁止剤、イミダゾール系、チアゾール系、トリアゾール系等のシランカップリング剤、可塑剤、発泡剤、難燃剤、帯電防止剤、老化防止剤、抗菌・防黴剤等を添加できる。
【００５４】
［フィラー］
本発明の感光性組成物には、さらに必要に応じて、密着性、硬度、耐熱性等の特性を上げる目的で、無機フィラー及び有機フィラーよりなる群から選ばれた少なくとも１種のフィラーを含有することができる。無機フィラーとしては、硫酸バリウム、炭酸カルシウム、チタン酸バリウム、酸化珪素、無定形シリカ、タルク、クレー、ハイドロタルサイト、ノイブルグ珪土粒子、雲母粉等が挙げられ、有機フィラーとしては、シリコンパウダー、ナイロンパウダー、フッ素パウダー等が挙げられる。さらに、白色の外観や難燃性を得るために酸化チタンや金属酸化物、水酸化アルミなどの金属水酸化物を体質顔料フィラーとしても使用することができる。上記フィラーの中でも、低吸湿性、低体積膨張性に特に優れるのは、シリカである。シリカは溶融、結晶性を問わず、これらの混合物であってもかまわないが、特にカップリング剤等で表面処理したシリカの場合、電気絶縁性を向上させることができるので好ましい。そのほか、上記フィラーとしては、有機ベントナイト、モンモリロナイト、ガラス繊維、炭素繊維、窒化ホウ素繊維等の繊維強化材等が挙げられる。
【００５５】
［溶剤］
本発明の感光性組成物においては、前記カルボキシル基含有化合物やエポキシ化合物を容易に溶解又は分散させるため、あるいは塗工に適した粘度に調整するために有機溶剤を使用することができる。このような有機溶剤としては、ケトン類、芳香族炭化水素類、グリコールエーテル類、グリコールエーテルアセテート類、エステル類、アルコール類、脂肪族炭化水素、石油系溶剤などを挙げることができる。より具体的には、メチルエチルケトン、シクロヘキサノン等のケトン類；トルエン、キシレン、テトラメチルベンゼン等の芳香族炭化水素類；セロソルブ、メチルセロソルブ、ブチルセロソルブ、カルビトール、メチルカルビトール、ブチルカルビトール、プロピレングリコールモノメチルエーテル、ジプロピレングリコールモノメチルエーテル、ジプロピレングリコールジエチルエーテル、トリエチレングリコールモノエチルエーテル等のグリコールエーテル類；酢酸エチル、酢酸ブチル、ジプロピレングリコールメチルエーテルアセテート、プロピレングリコールメチルエーテルアセテート、プロピレングリコールエチルエーテルアセテート、プロピレングリコールブチルエーテルアセテート、２−ヒドロキシイソ酪酸メチルなどのエステル類；エタノール、プロパノール、エチレングリコール、プロピレングリコール等のアルコール類；オクタン、デカン等の脂肪族炭化水素；石油エーテル、石油ナフサ、水添石油ナフサ、ソルベントナフサ等の石油系溶剤などである。このような有機溶剤は、単独で又は２種以上の混合物として用いられる。有機溶剤の配合量は、所望の粘度に応じて適宜設定できる。
【００５６】
本発明の感光性組成物は、例えば前記有機溶剤で塗布方法に適した粘度に調整し、基材上に、ディップコート法、フローコート法、ロールコート法、バーコーター法、スクリーン印刷法、カーテンコート法等の方法により塗布し、約６０〜１００℃の温度で組成物中に含まれる有機溶剤を揮発乾燥（仮乾燥）させることにより、タックフリーの塗膜を形成できる。また、上記組成物をキャリアフィルム上に塗布し、乾燥させてフィルムとして巻き取ったものを基材上に張り合わせることにより、乾燥塗膜を形成できる。その後接触式（又は非接触方式）により、パターンを形成したフォトマスクを通して選択的に活性エネルギー線により露光もしくはレーザーダイレクト露光機により直接パターン露光し、未露光部を希アルカリ水溶液（例えば０．３〜３質量％炭酸ソーダ水溶液）により現像してレジストパターンが形成される。さらに、高圧水銀灯等を使用して、積算露光量５００〜２０００ｍＪ／ｃｍ２となるように紫外線を照射して、仕上げ硬化することができる。また、例えば約１４０〜１８０℃の温度に加熱して熱硬化させることにより、前記カルボキシル基含有化合物のカルボキシル基と、エポキシ化合物のエポキシ基が反応し、耐熱性、耐薬品性、耐吸湿性、密着性、電気特性などの諸特性に優れた硬化塗膜を形成することができる。
【００５７】
上記基材としては、予め回路形成されたプリント配線板やフレキシブルプリント配線板の他、紙−フェノール樹脂、紙−エポキシ樹脂、ガラス布−エポキシ樹脂、ガラス−ポリイミド、ガラス布／不繊布−エポキシ樹脂、ガラス布／紙−エポキシ樹脂、合成繊維−エポキシ樹脂、フッ素樹脂・ポリエチレン・ＰＰＯ・シアネートエステル等の複合材を用いた全てのグレード（ＦＲ−４等）の銅張積層板、ポリイミドフィルム、ＰＥＴフィルム、ガラス基板、セラミック基板、ウエハ板等を用いることができる。
【００５８】
本発明の感光性組成物を塗布した後に行う揮発乾燥は、熱風循環式乾燥炉、ＩＲ炉、ホットプレート、コンベクションオーブンなど（蒸気による空気加熱方式の熱源を備えたものを用いて乾燥機内の熱風を向流接触せしめる方法及びノズルより支持体に吹き付ける方式）を用いて行うことができる。
【００５９】
以上のように本発明の感光性組成物を塗布し、揮発乾燥した後、得られた乾燥塗膜に対し、露光（活性エネルギー線の照射）を行う。乾燥塗膜は、露光部（活性エネルギー線により照射された部分）が硬化する。
【００６０】
上記活性エネルギー線照射に用いられる露光機としては、直接描画装置（例えばコンピューターからのＣＡＤデータにより直接レーザーで画像を描くレーザーダイレクトイメージング装置）、メタルハライドランプを搭載した露光機、（超）高圧水銀ランプを搭載した露光機、水銀ショートアークランプを搭載した露光機、もしくは（超）高圧水銀ランプなどの紫外線ランプを使用した直接描画装置を用いることができる。活性エネルギー線としては、最大波長が３５０〜４１０ｎｍの範囲にあるレーザー光を用いていればガスレーザー、固体レーザーどちらでもよい。また、その露光量は膜厚等によって異なるが、一般には５〜８００ｍＪ／ｃｍ２、好ましくは５〜７００ｍＪ／ｃｍ２の範囲内とすることができる。上記直接描画装置としては、例えば日本オルボテック社製、オーク社製等のものを使用することができ、最大波長が３５０〜４１０ｎｍのレーザー光を発振する装置であればいずれの装置を用いてもよい。
【００６１】
前記現像方法としては、ディッピング法、シャワー法、スプレー法、ブラシ法等によることができ、現像液としては、水酸化カリウム、水酸化ナトリウム、炭酸ナトリウム、炭酸カリウム、リン酸ナトリウム、ケイ酸ナトリウム、アンモニア、アミン類などのアルカリ水溶液が使用できる。
【００６２】
本発明の感光性組成物は、液状で直接基材に塗布する方法以外にも、予めポリエチレンテレフタレート等のフィルムに感光性組成物を塗布、乾燥して形成した乾燥塗膜を有するドライフィルムの形態で使用することもできる。本発明の感光性組成物をドライフィルムとして使用する場合を以下に示す。
【００６３】
ドライフィルムは、キャリアフィルムと、乾燥塗膜と、必要に応じて用いられる剥離可能なカバーフィルムとが、この順序に積層された構造を有するものである。乾燥塗膜は、例えばアルカリ現像性の感光性組成物をキャリアフィルム又はカバーフィルムに塗布、乾燥して得られる層である。キャリアフィルムに乾燥塗膜を形成した後に、カバーフィルムをその上に積層するか、カバーフィルムに乾燥塗膜を形成し、この積層体をキャリアフィルムに積層すればドライフィルムが得られる。
【００６４】
キャリアフィルムとしては、２〜１５０μｍの厚みのポリエステルフィルム等の熱可塑性フィルムが用いられる。
乾燥塗膜は、アルカリ現像性の感光性組成物をブレードコーター、リップコーター、コンマコーター、フィルムコーター等でキャリアフィルム又はカバーフィルムに１０〜１５０μｍの厚さで均一に塗布し乾燥して形成される。
カバーフィルムとしては、ポリエチレンフィルム、ポリプロピレンフィルム等を使用することができるが、乾燥塗膜との接着力が、キャリアフィルムよりも小さいものが良い。
【００６５】
ドライフィルムを用いてプリント配線板上に保護膜（永久保護膜）を作製するには、カバーフィルムを剥がし、乾燥塗膜と回路形成された基材を重ね、ラミネーター等を用いて張り合わせ、回路形成された基材上に乾燥塗膜を形成する。形成された乾燥塗膜に対し、前記と同様に露光、現像、加熱硬化すれば、硬化層を形成することができる。キャリアフィルムは、露光前又は露光後のいずれかに剥離すれば良い。
なお、本発明の感光性組成物は、プリント配線板の永久被膜用材料として好適であるが、中でもソルダーレジスト用材料、層間絶縁材料として好適である。
【実施例】
【００６６】
以下、実施例及び比較例を示して本発明について具体的に説明するが、本発明が下記実施例に限定されるものでないことはもとよりである。尚、以下において「％」及び「部」とあるのは、特に断りのない限り全て質量基準である。
【００６７】
合成例１
温度計、窒素導入装置兼アルキレンオキシド導入装置及び撹拌装置を備えたオートクレーブに、昭和高分子株式会社製ノボラック型クレゾール樹脂（商品名「ショーノールＣＲＧ９５１」、ＯＨ当量：１１９．４）１１９．４部、水酸化カリウム１．１９部、トルエン１１９．４部を仕込み、撹拌しつつ系内を窒素置換し、加熱昇温した。次に、プロピレンオキシド６３．８部を徐々に滴下し、１２５〜１３２℃、０〜４．８ｋｇ／ｃｍ２で１６時間反応させた。その後、室温まで冷却し、この反応溶液に８９％リン酸１．５６部を添加混合し、水酸化カリウムを中和し、不揮発分６２．１％、水酸基価が１８２．２ｇ／ｅｑ．であるノボラック型クレゾール樹脂のプロピレンオキシド付加反応物の溶液を得た。これは、フェノール性水酸基１当量当りアルキレンオキシドが平均約１．０８モル付加しているものであった。
得られたノボラック型クレゾール樹脂のアルキレンオキシド付加反応物の溶液２９３．０部、アクリル酸４３．２部、メタンスルホン酸１１．５３部、メチルハイドロキノン０．１８部、トルエン２５２．９部を、撹拌機、温度計、空気吹き込み管を備えた反応器に仕込み、空気を１０ｍｌ／分の速度で吹き込み、撹拌しながら、１１０℃で１２時間反応させた。反応により生成した水は、トルエンとの共沸混合物として、１２．６部の水が留出した。その後、室温まで冷却し、得られた反応溶液を１５％水酸化ナトリウム水溶液３５．３５部で中和し、次いで水洗した。その後、エバポレーターにてトルエンをジエチレングリコールモノエチルエーテルアセテート１１８．１部で置換しつつ留去し、ノボラック型アクリレート樹脂溶液を得た。次に、得られたノボラック型アクリレート樹脂溶液３３２．５部、ナフテン酸クロム０．８部、ナフテン酸リチウム０．４部を、攪拌機、温度計、空気吹き込み管を備えた反応器に仕込み、空気を１０ｍｌ／分の速度で吹き込み、撹拌しながら、テトラヒドロフタル酸無水物６０．８部を徐々に加え、９５〜１０１℃で６時間反応させ、冷却後、取り出した。このようにして得られたカルボキシル基含有感光性化合物は、不揮発分７０．９％、固形分酸価８２．１ｍｇＫＯＨ／ｇであった。
【００６８】
実施例１〜９及び比較例１〜３
表１及び表２に示す割合で各成分を配合し、攪拌後、３本ロールミルにて分散して感光性組成物を得た。
【００６９】
【表１】
2014006498.tif 000002
【００７０】
【表２】
2014006498.tif 000003
【００７１】
前記表１及び表２中の酸価、エポキシ当量、二重結合当量は以下の方法で測定した。
＜有機成分総量に対する酸価の測定法＞
感光性組成物を７０℃、２４間乾燥させて、有機溶剤を除去し、固形分を得た。固形分にアセトンを加えて溶解・分散させ、遠心分離機より、固形分からフィラーを分離した。フィラーを分離した有機成分を用いて、ＪＩＳ  Ｋ２５０１に従い、酸価を測定した。このようにして得られた酸価が、有機成分総量に対する酸価である。
【００７２】
＜有機成分総量に対するエポキシ当量の測定法＞
酸価を測定する場合と同様にして、フィラーを分離した有機成分を得た。この有機成分を用いて、ＪＩＳ  Ｋ７２３６に従って、第１当量を測定した。
一方、臭化テトラエチルアンモニウムを使用しなかった以外は、第１当量の測定方法と同様にして、第２当量を測定した。
第１当量から第２当量を差し引いて、「有機成分総量に対するエポキシ当量」を算出した。
【００７３】
＜二重結合当量の測定方法＞
酸価を測定する場合と同様にして、フィラーを分離した有機成分を得た。この有機成分にモルホリンを反応させた後、無水酢酸を加えて未反応のモルホリンと反応させた。有機成分とモルホリンとの反応体を過塩素酸で滴定することにより、第３当量を算出した。
第３当量から、第１当量を差し引いて、「有機成分総量に対する二重結合当量」を算出した。
【００７４】
＜液状成分の判定方法＞
液状の判定は、危険物の試験及び性状に関する省令（平成元年自治省令第１号）の別紙第２の「液状の確認方法」に準じて行った。
【００７５】
（１）装置
恒温水槽：攪拌機、ヒーター、温度計、自動温度調節器（±０．１℃で温度制御が可能なもの）を備えたもので深さ１５０ｍｍ以上のものを用いる。
尚、液状成分の判定では、いずれもヤマト科学（株）製の低温恒温水槽（型式ＢＵ３００）と投入式恒温装置サーモメイト（型式ＢＦ５００）の組み合わせを用い、水道水約２２リットルを低温恒温水槽（型式ＢＵ３００）に入れ、これに組み付けられたサーモメイト（型式ＢＦ５００）の電源を入れて設定温度（２０℃）に設定し、水温を設定温度±０．１℃にサーモメイト（型式ＢＦ５００）で微調整したが、同様の調整が可能な装置であればいずれも使用できる。
【００７６】
試験管：
試験官としては、図１に示すように、内径３０ｍｍ、高さ１２０ｍｍの平底円筒型透明ガラス製のもので、管底から５５ｍｍ及び８５ｍｍの高さのところにそれぞれ標線２，３が付され、試験管の口をゴム栓４ａで密閉した液状判定用試験管１ａと、同じサイズで同様に標線が付され、中央に温度計を挿入・支持するための孔があけられたゴム栓４ｂで試験管の口を密閉し、ゴム栓４ｂに温度計５を挿入した温度測定用試験管１ｂを用いる。以下、管底から５５ｍｍの高さの標線を「Ａ線」、管底から８５ｍｍの高さの標線を「Ｂ線」という。
温度計５としては、ＪＩＳ  Ｂ７４１０（１９８２）「石油類試験用ガラス製温度計」に規定する凝固点測定用のもの（ＳＯＰ−５８目盛範囲２０〜５０℃）を用いるが、０〜５０℃の温度範囲が測定できるものであればよい。
【００７７】
（２）試験の実施手順
温度２０±５℃の大気圧下で２４時間以上放置した試料を、図１（ａ）に示す液状判定用試験管１ａと図１（ｂ）に示す温度測定用試験管１ｂにそれぞれＡ線まで入れる。２本の試験管１ａ，１ｂを低温恒温水槽にＢ線が水面下になるように直立させて静置する。温度計は、その下端がＡ線よりも３０ｍｍ下となるようにする。
試料温度が設定温度２０±０．１℃に達してから１０分間そのままの状態を保持する。１０分後、液状判断用試験管１ａを低温恒温水槽から取り出し、直ちに水平な試験台の上に水平に倒し、試験管内の液面の先端がＡ線からＢ線まで移動した時間をストップウォッチで測定し、記録する。試料は、設定温度において、測定された時間が９０秒以内のものを液状、９０秒を超えるものを固体状と判定する。
【００７８】
各感光性組成物について、以下のようにして試験基板を作製し、下記の特性評価を行った。結果を表３及び表４に示す。
＜試験基板の作製＞
感光性組成物をスクリーン印刷法により、１００メッシュのポリエステルスクリーンを用いて２０〜３０μｍの厚さになるように、銅パターンが形成されているプリント配線基板に全面塗布し、塗膜を８０℃の熱風乾燥器を用いて６０分間乾燥した後、レジストパターンを有するネガフィルムを塗膜に密着させ、紫外線露光装置（（株）オーク製作所、型式ＨＭＷ−６８０ＧＷ）を用いて、露光量５００ｍＪ／ｃｍ２の紫外線を照射した。次いで、１％の炭酸ナトリウム水溶液で６０秒間、２．５ｋｇ／ｃｍ２のスプレー圧で現像した。この後、この基板に対して、高圧水銀灯により、積算露光量１０００ｍＪ／ｃｍ２となるように紫外線を照射して仕上げ硬化し、１６０℃で１時間加熱してポストキュアし、評価基板とした。
絶縁性、クラック性、パターン形成性（現像性）及びタック性の試験は以下のようにして行なった。
【００７９】
＜ＰＣＢＴ中の絶縁抵抗値＞
ＩＰＣＢ−２５のクシ型電極Ｂクーポンを用い、上記の条件で評価基板を作製し、このクシ型電極にＤＣ３０Ｖのバイアス電圧を印加し、ＰＣＴ装置（エスペック株式会社製ＨＡＳＴ  ＹＳＴＥＭ  ＴＰＣ−４１２ＭＤ）を用いて、１２１℃、湿度９７％の条件で処理し、抵抗値が１．０×１０７Ω以下に低下する時間を測定した。３００時間以上を要した場合は良好と評価できる。
【００８０】
＜ＴＣＴコーナークラック＞
２ｍｍの銅ラインパターンが形成された基板に、前記感光性組成物を塗布し、上記と同様にして露光、現像した後、紫外線照射、熱硬化して、銅ライン上に３ｍｍ角のレジストパターンが１７個形成された評価基板を作製した。この評価基板を、−６５℃と１５０℃の間で温度サイクルが行われる冷熱サイクル機に入れ、ＴＣＴ（Thermal Cycle Test）を行った。そして、１０００サイクル時の外観を観察し、クラック数を数えた。クラック数が３０／６８以下の場合は良好と評価できる。尚、分母の数値「６８」は、３ｍｍ角のレジストパターンの４つの角（４つ）×１７個で、６８箇所の角を意味し、分子の数値「３０」は、クラックの発生数を表す。
【００８１】
＜パターン形成性＞
露光、現像後の状態を拡大鏡にて目視判定した。結果は表３及び表４の通り、実施例１〜９、比較例１〜３では、パターン形成が可能であった。
【００８２】
＜タック性＞
感光性組成物をそれぞれパターン形成された銅箔基板上にスクリーン印刷で全面塗布し、８０℃の熱風循環式乾燥炉で３０分間乾燥させ、室温まで放冷した。この基板にＰＥＴ製ネガフィルムを当て、ＯＲＣ社製（ＨＭＷ−ＧＷ２０）で１分間減圧条件下で圧着させ、その後、ネガフィルムを剥がしたときのフィルムの張り付き状態を評価した。
良好：フィルムを剥がすときに、抵抗が無く、塗膜に跡が残らない。
不良：フィルムを剥がす時に、抵抗があり、塗膜に跡がついている。
【００８３】
【表３】
2014006498.tif 000004
【００８４】
【表４】
2014006498.tif 000005
【００８５】
表３及び表４に示されるように、実施例１〜９では良好なパターン形成性（現像性）を示し、高温高湿度下においても長時間絶縁性を維持でき、かつ、クラックの発生を抑制できた。しかしながら、エポキシ化合物のエポキシ基がカルボキシル基含有感光性化合物のカルボキシル基１当量に対して１．５当量未満の比較例１〜３では、高温高湿度下において絶縁性を長時間維持できず、またクラックの発生も多かった。
【符号の説明】
【００８６】
１ａ  液状判定用試験管
１ｂ  温度測定用試験管
２  標線（Ａ線）
３  標線（Ｂ線）
４ａ，４ｂ  ゴム栓
５  温度計
【図１】
2014006498.tif 000006